(57)【要約】【課題】  除染対象となる室内に設置でき、当該室内の所望位置に除染用ガスを放出することができる除染装置を提供することを目的とする。【解決手段】  外面にガス放出口８とガス吸入口４とが開口した装置筐体２内に、過酸化水素ガス（除染用ガス）２１を発生するガス発生装置５と、ガス発生装置５からガス放出口８近傍位置まで形成されたガス案内管６と、除染対象室Ｒに一旦放出された、室内ガス２０を、ガス吸入口４から当該装置筐体２内に吸入し、吸入した該室内ガス２０の一部を装置筐体２内を通じてガス放出口８に供給する循環用送風機９とを収納した。これにより、装置筐体２内が除染されるため、無菌状態を維持したまま除染対象室Ｒ内に設置できる。また、ガス放出口８にルーバー３を配設したため、室内の所望位置に過酸化水素ガスを放出することができる。【選択図】図１
2005143727.tif 000002
【特許請求の範囲】
【請求項１】
除染対象となる室内に設置され、除染用ガスを当該室内に放出することにより室内を除染する除染装置であって、
外面にガス放出口とガス吸入口とが開口した装置筐体内に、
ガス放出口と連通され、該ガス放出口から装置筐体外に放出される除染用ガスを発生するガス発生装置と、
除染対象の室内に一旦放出された除染用ガスを含んだ室内ガスを、前記ガス吸入口から当該装置筐体内に吸入する循環用送風機と、
装置筐体内に吸入された前記室内ガスをガス発生装置に供給する除染用ガス送風機とが収納されてなることを特徴とする除染装置。
【請求項２】
装置筐体内に、
一端がガス発生装置に接続され、他端がガス放出口近傍位置で開口したガス案内路が収納されてなると共に、
除染用ガス送風機が、装置筐体内に吸入された室内ガスの一部をガス発生装置に供給することを特徴とする請求項１記載の除染装置。
【請求項３】
ガス放出口に、該ガス放出口から放出されるガスの放出方向を変更するガス放出方向変更手段が配設されたことを特徴とする請求項１又は請求項２記載の除染装置。
【請求項４】
ガス放出方向変更手段が、ルーバーであることを特徴とする請求項３記載の除染装置。
【請求項５】
ガス案内路の路内を所定温度に保持する保温手段を装置筐体内に備えたことを特徴とする請求項１乃至請求項４のいずれかに記載の除染装置。
【請求項６】
装置筐体内に、
除染用ガスを除染効果の無いガスに分解する触媒フィルターと、
ガス吸入口から吸入する室内ガスを、触媒フィルターを介してから装置筐体内に案内する第一吸入路と、
触媒フィルターを介さずに装置筐体内に案内する第二吸入路と、
除染対象の室内を除染する場合に第二吸入路を選定し、室内をエアレーションする場合に第一吸入路を選定する吸入路切換手段とを備えたことを特徴とする請求項１乃至請求項５のいずれかに記載の除染装置。
【請求項７】
除染用ガスが、過酸化水素ガスであることを特徴とする請求項１乃至請求項６のいずれかに記載の除染装置。
【発明の詳細な説明】
【技術分野】
【０００１】
本発明は、室内に除染用ガスを投入することにより、当該室内を除染する装置に関する。
【背景技術】
【０００２】
室内を除染する装置としては、ガス発生装置により除染用ガスである過酸化水素ガスを発生させ、この過酸化水素ガスを当該室内に投入する構成がよく知られている（例えば、特許文献１参照）。
【０００３】
【特許文献１】特表２００３−５０９１６５号公報
【発明の開示】
【発明が解決しようとする課題】
【０００４】
しかしながら、上述の従来構成にあっては、ガス発生装置が除染対象の室外に配設されているため、別途、室内にガス分散装置を設置する必要があった。このため、室内と室外との間で、過酸化水素ガスを供給するための供給用配管、及び密閉室からガス発生装置にガスを戻すためのリターン配管とを配設する必要があった。このため、構造が煩雑となる問題があった。
【０００５】
さらに、これらの配管には、管内を通過する除染用ガスの凝縮を防止するために、配管内を保温するヒーターを備え付ける必要がある。このため、除染コストが高くなるという問題があった。
【０００６】
そこで、かかる問題を解消するために、上記配管を除去すべく、ガス発生装置を密閉室内に設置する構成が提案され得る。かかる構成とすると、除染用ガスを投入等するための配管等が省略されるため、構造が煩雑とならず、ヒーターも不要となって除染コストも低下する効果が得られる。しかしながら、ガス発生装置を密閉室内に設置するには、ガス発生装置自体を無菌状態に維持しなければならないという新たな問題があった。
【０００７】
そこで、本発明は、上述の問題を解決し得る除染装置を提供することを目的とする。
【課題を解決するための手段】
【０００８】
本発明は、除染対象となる室内に設置され、除染用ガスを当該室内に放出することにより室内を除染する除染装置であって、外面にガス放出口とガス吸入口とが開口した装置筐体内に、ガス放出口と連通され、該ガス放出口から装置筐体外に放出される除染用ガスを発生するガス発生装置と、除染対象の室内に一旦放出された除染用ガスを含んだ室内ガスを、前記ガス吸入口から当該装置筐体内に吸入する循環用送風機と、装置筐体内に吸入された前記室内ガスをガス発生装置に供給する除染用ガス送風機とが収納されてなることを特徴とする除染装置である。
【０００９】
かかる構成にあっては、除染対象の室内に一旦放出された除染用ガスが、循環用送風機により、室内ガスに含まれて装置筐体内に吸入されることとなる。したがって、装置筐体内が除染用ガスと接触することとなるため、装置筐体内が除染されることとなる。一方、装置筐体の外面は室内に臨み、ガス放出口から放出した除染用ガスによって除染されるため、全体として、本発明にかかる除染装置は、除染対象の室内で無菌状態が維持されることとなる。これにより、除染対象の室内に除染装置を設置することが可能となると共に、従来構成では必要とされた室内と室外とを結ぶ種々の配管が不要となる。なお、上述の除染とは、化学Ｔ期除染、無菌、滅菌等が含まれる。
【００１０】
また、装置筐体内に、一端がガス発生装置に接続され、他端がガス放出口近傍位置で開口したガス案内路が収納されてなると共に、除染用ガス送風機が、装置筐体内に吸入された室内ガスの一部をガス発生装置に供給する構成が提案される。
【００１１】
かかる構成にあっては、ガス案内路の他端は、ガス放出口と直接接続されていない。したがって、ガス放出口とガス案内路の他端との間隙を介して、装置筐体内に吸入された室内ガスの一部が装置筐体外へ放出されることとなる。一方、ガス案内路の他端周囲は、そのガス流により負圧となるため、前記室内ガスがガス案内路の他端周囲に引き込まれ、装置筐体外への放出がより一層促進されることとなる。なお、ガス案内路としては、ガス案内ダクトやガス案内管が例示される。
【００１２】
また、ガス放出口に、該ガス放出口から放出されるガスの放出方向を変更するガス放出方向変更手段が配設された構成が提案される。
【００１３】
かかる構成とすることにより、室内の所望位置に除染用ガスを放出することが可能となる。ここで、従来構成はガス発生装置とガス分散装置とが別体であったが、本発明にあっては、ガス発生装置とガス放出方向変更手段とを一体的に構成することが可能となり、除染装置がコンパクト化されることとなる。
【００１４】
なお、ガス放出方向変更手段が、ルーバーである構成が好適である。これにより、室内の所望位置に除染用ガスを放出することが可能となる。
【００１５】
また、ガス案内路の路内を所定温度に保持する保温手段を装置筐体内に備えた構成が提案される。
【００１６】
かかる構成にあって、保温手段が保温するガス案内路は、装置筐体内に配設されたガス案内路に限られることとなる。したがって、配管が室外から室内に渡って設けられていた従来構成に比べて、保温すべき部分の長さが短縮されて全体として除染コストが低下することとなる。
【００１７】
また、装置筐体内に、除染用ガスを除染効果の無いガスに分解する触媒フィルターと、ガス吸入口から吸入する室内ガスを、触媒フィルターを介してから装置筐体内に案内する第一吸入路と、触媒フィルターを介さずに装置筐体内に案内する第二吸入路と、除染対象の室内を除染する場合に第二吸入路を選定し、室内をエアレーションする場合に第一吸入路を選定する吸入路切換手段とを備えたが提案される。
【００１８】
かかる構成にあっては、室内除染時は、吸入路切換手段により装置筐体内に除染用ガスが吸入されることとなる。このため、除染装置を無菌状態に維持することができる。一方、エアレーション時は、吸入路切換手段により除染効果の無いガスが装置筐体内に放出されることとなる。このため、除染用ガスが除染装置内に残留することを防止することができる。
【００１９】
さらに、除染用ガスとしては、過酸化水素ガスが好適である。過酸化水素ガスは、強力な除染能力を備え、かつ安価で入手し易く、環境に対して影響が少ないためである。
【発明の効果】
【００２０】
本発明の除染装置は、装置筐体内に、ガス発生装置、循環用送風機、及び除染用ガス送風機が収納されてなり、除染対象の室内に一旦放出された除染用ガスを含んだ室内ガスを、当該装置筐体内に吸入する構成としたため、装置筐体内が除染されることとなり、除染対象の室内で無菌状態を維持することが可能となる。これにより、除染対象の室内に除染装置を設置することが可能となって、従来必要であった配管等が不要となり、除染のための構造が簡略化される優れた効果がある。
【００２１】
また、装置筐体内に、ガス放出口近傍位置で開口したガス案内路が収納されてなる構成とした場合は、ガス案内路の他端周囲は、そのガス流により負圧となるため、筐体内に吸入された室内ガスがガス案内路の他端周囲に引き込まれ、装置筐体外への放出がより一層促進されることとなる。これにより、除染時間が短縮する効果がある。
【００２２】
また、ガス放出口にガス放出方向変更手段が配設された構成とした場合は、室内の所望位置に除染用ガスを放出することが可能となり、除染効率が向上する利点があると共に、ガス発生装置とガス放出方向変更手段とが一体的に構成されるため、除染装置が全体としてコンパクト化される利点がある。
【００２３】
ここで、ガス放出方向変更手段をルーバーとした場合は、室内の所望位置に除染用ガスを放出することが可能となり、除染効率が向上する利点がある。
【００２４】
また、ガス案内路の路内を所定温度に保持する保温手段を装置筐体内に備えた構成とした場合は、保温手段が保温するガス案内路は装置筐体内に配設された部分に限られるため、従来構成に比して保温すべき部分の長さが短縮され、除染コストを低減できる効果がある。
【００２５】
また、装置筐体内に、除染用ガスを除染効果の無いガスに分解する触媒フィルターを備え、除染対象の室内を除染する場合に、ガス吸入口から吸入する室内ガスを触媒フィルターを介してから装置筐体内に案内し、エアレーションする場合に、触媒フィルターを介さずに装置筐体内に案内する構成とした場合は、室内除染時には除染装置を無菌状態に維持することができると共に、エアレーション時には除染用ガスが除染装置内に残留することを防止することができる優れた効果を奏する。
【発明を実施するための最良の形態】
【００２６】
以下、本発明にかかる除染装置１について、添付図面に従って説明する。
図１から図３に示されるように、本発明にかかる除染装置１は、除染対象室Ｒ内に設置され、除染用ガスである過酸化水素ガス２１（図５参照）を当該室内に放出することにより、室内を除染するものである。
【００２７】
この除染装置１は、左右の側面２４，２４が内側に傾斜した、ほぼ直方体状の装置筐体２により構成され、室内の壁際に設置される。本実施形態例にあっては、装置筐体２の寸法は、高さ約２．０ｍ、全幅約１．５ｍ、奥行き約０．３ｍとしている。
【００２８】
また、装置筐体２の正面２５、及び両側面２４，２４には、複数のルーバー３が配設されている。具体的には、正面２５の上部位置に、左右方向に二個配設されると共に、両側面２４に、上下方向に四個ずつ配設されている。このルーバー３は、装置筐体２に開口した複数のガス放出口８（図６参照）に配設されており、図４に示すような公知品が好適に用いられる。そして、装置筐体２内から放出されるガス流の方向を自在に変更し得るようにしている。なお、本実施形態例にかかるルーバー３により、本発明にかかるガス放出方向変更手段が構成される。
【００２９】
また、装置筐体２の正面２５下方位置には、横長矩形状のガス吸入口４が開口し、除染対象室Ｒ内の室内ガス２０（図５参照）を装置筐体２内に吸入可能としている。
【００３０】
次に、装置筐体２内部の構成について、図５に従って説明する。
装置筐体２内には、ガス発生装置５、ガス発生装置５に接続されたガス案内管６、ガス案内管６に接続されたヒーター２６、除染用ガス送風機１５、循環用送風機９、及び触媒フィルター１１等が全て収納されている。以下、各装置について説明する。
【００３１】
ガス発生装置５は、蒸発装置１６、供給ポンプ１７、質量流量計１８、及び液体タンク１９を具備している。この液体タンク１９には、過酸化水素ガス２１が溶解した過酸化水素水が入っている。そして、質量流量計１８により流量を管理されながら、供給ポンプ１７の駆動により過酸化水素水が蒸発装置１６へ供給される。そして、蒸発装置１６に供給された過酸化水素水が、蒸発装置１６の加熱面（図示省略）に滴下されることにより過酸化水素ガス２１が発生する構成となっている。なお、この蒸発装置１６は、フラッシュ蒸発（いわゆる急速蒸発法）によりガスを発生させる構成であって、公知技術が好適に採用される。
【００３２】
また、ガス発生装置５には、ガス発生装置５とガス放出口８とを連通するためのガス案内管６が接続されている。このガス案内管６についてさらに詳述すると、発生した過酸化水素ガス２１をガス放出口８近傍位置に案内するものである。具体的には、ガス案内管６の一端６ａがガス発生装置５に接続されると共に、他端６ｂが、上述の各ガス放出口８の近傍位置までそれぞれ枝分かれして形成され、ガス放出口８近傍位置でそれぞれ開口している。なお、本実施形態例にかかるガス案内管６により、本発明にかかるガス案内路が構成される。
【００３３】
また、装置筐体２内には、ヒーター２６が収納されており、ガス案内管６内を所定温度に保持して、ガス案内管６内を通る過酸化水素ガス２１が凝縮することを防止しているこのヒーター２６は、公知品が好適に用いられる。なお、本実施形態例にかかるヒーター２６により、本発明にかかる保温手段が構成される。
【００３４】
さらに、ガス吸入口４には、準ＨＥＰＡフィルタ７が配設されていると共に、装置筐体２内側に、一端２７ａがこのガス吸入口４に接続され、他端２７ｂ，２７ｃが装置筐体２内で開口する吸入ダクト２７が備えられている。さらに詳述すると、この吸入ダクト２７は、装置筐体２内で二つに分岐しており、他端２７ｂを具備する第一吸入ダクト２８と、他端２７ｃを具備する第二吸入ダクト２９とに分かれている。
【００３５】
第一吸入ダクト２８は、当該ダクト２８内を通過するガス量を調整する第一バルブ１０と、過酸化水素ガスを水と酸素に分解する触媒フィルター１１と、ＨＥＰＡフィルタ１３とを備えている。
【００３６】
一方、第二吸入ダクト２９は、当該ダクト２９内を通過するガス量を調整する第二バルブ１４を備えており、触媒フィルター１１等は備えていない。
【００３７】
なお、本実施形態例にかかる第一吸入ダクト２８により、本発明にかかる第一吸入路が構成され、第二吸入ダクト２９により、第一吸入路が構成される。
【００３８】
また、準ＨＥＰＡフィルタ７と両バルブ１０，１４との間の吸入ダクト２７には、循環用送風機９が接続されており、この循環用送風機９が駆動することにより、除染対象室Ｒに内在する室内ガス２０が、ガス吸入口４から吸入ダクト２７に吸入される構成となっている。
【００３９】
また、前記ガス発生装置５を構成する蒸発装置１６の近接位置には、装置筐体２内に吸入された前記室内ガス２０の一部を蒸発装置１６に供給し、当該室内ガス２０と、ガス案内管６内の過酸化水素ガス２１とをガス案内管６を介してガス放出口８に送る除染用ガス送風機１５が配設されている。
【００４０】
次に、除染対象室Ｒを除染する際の、除染装置１の駆動態様を図５，６に従って説明する。
除染対象室Ｒを除染する場合は、まず供給ポンプ１７を駆動することにより、所定量の過酸化水素水を液体タンク１９から蒸発装置１６に供給する。そして、蒸発装置１６にて、過酸化水素ガス２１を発生させる。
【００４１】
この過酸化水素ガス２１は、除染用ガス送風機１５の駆動によって、ガス案内管６を介して、各ガス放出口８近傍位置に案内され、各他端６ｂから放出される。そして、この放出された過酸化水素ガス２１は、その近傍位置にあるガス放出口８から装置筐体２外へ放出されることとなる。この過酸化水素ガス２１の除染効果により、除染対象室Ｒが除染されることとなる。なお、このとき、ガス放出口８に配設されるルーバー３を適宜操作して、過酸化水素ガス２１の入り込み難い箇所に過酸化水素ガス２１を放出することができる。
【００４２】
一方、循環用送風機９の駆動により、ガス吸入口４からは、除染対象室Ｒに内在する室内ガス２０が装置筐体２内に順次吸入される。この室内ガス２０には、室内に一旦放出された過酸化水素ガス２１も含まれている。
【００４３】
ガス吸入口４から吸入された室内ガス２０は、準ＨＥＰＡフィルタ７を介して吸入ダクト２７内に取り込まれる。そして、その後この室内ガス２０は、吸入ダクト２７を介して装置筐体２内に放出されることとなる。ここで、除染対象室Ｒを除染する場合にあっては、両バルブ１０，１４を操作して、第一吸入ダクト２８へは室内ガス２０を流入不能とし、全て第二吸入ダクト２９へ流入するようにしておく。
【００４４】
したがって、吸入ダクト２７に取り込まれた室内ガス２０が、第二吸入ダクト２９の他端２７ｃから装置筐体２内に放出されることとなる。なお、この放出された室内ガス２０は、循環用送風機９の送風効果により、装置筐体２内全域に浸透する。
【００４５】
ここで、装置筐体２内に放出された室内ガス２０は、過酸化水素ガス２１を含むため、除染対象室Ｒを除染する際には、装置筐体２内も除染されることとなる。
【００４６】
また、装置筐体２内の室内ガス２０は、図６に示されるように、循環用送風機９の送風効果と、ガス案内管６の他端６ｂから過酸化水素ガス２１が放出されることにより発生する負圧効果とにより、各ガス放出口８から再び除染対象室Ｒへ供給されることとなる。
【００４７】
なお、上述の除染用ガス送風機１５は、装置筐体２内のガスを利用して過酸化水素ガス２１を送風する構成であるため、装置筐体２内の室内ガス２０を一部取り込むこととなる。したがって、実際上、ガス案内管６内には、ガス発生装置５が発生させた過酸化水素ガス２１のほか、装置筐体２内に取り込まれた室内ガス２０も一部含まれている。
【００４８】
以上のように、除染対象室Ｒを除染する場合に、これまでに述べた態様で除染装置１を駆動することにより、除染装置１自体が除染対象室Ｒ内で無菌状態が維持されることとなる。また、除染対象室Ｒと装置筐体２内とでガスが循環することとなるため、筐体２内に収納される各装置が、その駆動により高温となっても、熱が筐体２内で滞ることがなく、除染装置１が過剰に温度上昇することがない。
【００４９】
次に、除染対象室Ｒの除染を完了し、当該室内をエアレーションする際の、除染装置１の駆動態様を図７に従って説明する。
除染対象室Ｒをエアレーションする場合は、まず供給ポンプ１７の駆動を停止して過酸化水素ガス２１の発生を中止する。これにより、除染対象室Ｒには、過酸化水素ガス２１が供給されない。
【００５０】
一方、循環用送風機９は駆動を継続する。したがって、除染対象室Ｒを除染する際と同様に、除染対象室Ｒに内在する室内ガス２０が装置筐体２内に順次吸入されることとなる。
【００５１】
ただし、除染対象室Ｒをエアレーションする場合にあっては、両バルブ１０，１４を操作して、第二吸入ダクト２９へは室内ガス２０を流入不能とし、全て第一吸入ダクト２８へ流入するようにしておく。したがって、吸入された室内ガス２０は、第一吸入ダクト２８に接続された分解フィルター１１により過酸化水素成分が分解された後、装置筐体２内に他端２７ｂから放出されることとなる。
【００５２】
そして、循環用送風機９の送風効果により、分解されたエアレーションガス２２が、ガス放出口８から再び除染対象室Ｒに放出される。
【００５３】
このように、吸入した室内ガス２０の過酸化水素成分を順次分解し、過酸化水素ガス２１の供給を中止することにより、徐々に室内ガス２０に占める過酸化水素ガス２１量は減少し、ついには過酸化水素ガス２１を除去することが可能となる。なお、装置筐体２内に過酸化水素ガス２１が内在する場合であっても、循環用送風機９の送風効果により、順次ガス放出口８から除染対象室Ｒに放出され、室内ガス２０として再度装置筐体２内に取り込まれて分解されることとなるため、好適に過酸化水素ガス２１が除去され得る。
【００５４】
なお、除染用ガス送風機１５も駆動を継続することが好ましい。かかる構成とすることにより、ガス案内管６に、エアレーションガス２２が順次供給されることとなるため、ガス案内管６内をエアレーションすることができるためである。また、エアレーションガス２２がガス案内管６から放出されることとなると、他端６ｂ周辺に発生する負圧効果により、筐体２内のエアレーションガス２２の放出を促進させることが可能となり、エアレーション時間を短縮し得ることとなる。
【００５５】
ここで、ガス案内管６の他端６ｂを、どれだけガス放出口８に近接させるかは、除染用ガス送風機１５の送風量を特定することによって定められる。
【００５６】
また、除染用ガス送風機１５、及び循環用送風機９は、除染対象室Ｒの広さ、装置筐体の寸法等に基づいて、適正な送風能力をもつ送風機が採用される。
【００５７】
また、他の実施形態例として、装置筐体２の下面に複数のキャスターを配設し、除染対象室Ｒ内を容易に移動可能とした構成が提案される。かかる構成とすることにより、除染対象室Ｒで特に除染効果を高めたい箇所に、容易に除染装置１を移動させることができる。
【００５８】
なお、除染時に、第二吸入ダクト２９を流通可能、かつ第一吸入ダクト２８を流通不能とし、これに対しエアレーション時に、第一吸入ダクト２８を流通可能、かつ第二吸入ダクト２９を流通不能とし得することにより、適正に吸入ダクト２８，２９を選定する第一バルブ１０及び第二バルブ１４により、本発明にかかる、吸入路切換手段が構成される。
【００５９】
ここで、過酸化水素ガス２１は、強力な除染能力を備え、かつ安価で入手し易く、環境に対して影響が少ない利点を備えると共に、オゾンガスのように強い酸化作用がないため、除染対象室Ｒ内の種々の設備に影響を与え難い利点がある。なお、除染用ガスとしては、ホルムアルデヒド、エチレンオキサイド、過酢酸水溶液をガス化したものが例示される。
【図面の簡単な説明】
【００６０】
【図１】除染装置１の正面図である。
【図２】除染装置１の側面図である。
【図３】除染装置１の平面図である。
【図４】ルーバー３の斜視図である。
【図５】除染時における装置筐体２内のガス流を示す説明図である。
【図６】ガス放出口８近傍位置を示す概略図である。
【図７】エアレーション時における装置筐体２内のガス流を示す説明図である。
【符号の説明】
【００６１】
１  除染装置
２  装置筐体
３  ルーバー
４  ガス吸入口
５  ガス発生装置
６  ガス案内管
８  ガス放出口
９  循環用送風機
１０  第一経路用バルブ
１１  触媒フィルター
１４  第二経路用バルブ
１５  除染用ガス送風機
２０  室内ガス
２１  過酸化水素ガス
２２  エアレーションガス
Ｒ  除染対象室
【図１】
2005143727.tif 000003
【図２】
2005143727.tif 000004
【図３】
2005143727.tif 000005
【図４】
2005143727.tif 000006
【図５】
2005143727.tif 000007
【図６】
2005143727.tif 000008
【図７】
2005143727.tif 000009